(57)【特許請求の範囲】
【請求項１】
前端および後端に開口を有する筒状体と、
前記筒状体内に押し込み可能に配置されたプランジャと、
内部に座薬を収容し、後端が前記筒状体に着脱自在に保持され、前端にプランジャによって押された座薬を外部に排出する排出開口を有するカートリッジと、を備え、
前記カードリッジは、前記筒状体に装着、保持される装着基部と、該装着基部から前方に延びて座薬を覆う被覆部とからなり、
前記装着基部は、前記筒状体の外壁の略全体を覆う延長壁を有することを特徴とする座薬挿入器具。
【請求項２】
前記被覆部は、前記排出開口から後方に向けて延びるスリットを有する、請求項１に記載の座薬挿入器具。
【発明の詳細な説明】
【技術分野】
【０００１】
この発明は、体内へ座薬を挿入する際に用いる座薬挿入器具に関する。
【背景技術】
【０００２】
座薬は、医薬品を基剤に混和して一定の形状に成型した固形の外用剤で、肛門や膣内に挿入して適用するものであるが、体内で速やかに融解し、有効成分を放出できるよう、有効成分が体温で融解する基剤の中に分散されている。通常、座薬は包装から取り出し、座薬の後部を指先でつまんで肛門内に挿入するが、しっかりと奥まで挿入されないと肛門の括約筋による収縮圧によって座薬が押し戻されることがあり、座薬の挿入に手間がかかって面倒であるとともに、指が肛門に直接触れることから、非衛生的である。
【０００３】
そのため、特許文献１では、内部に座薬を納める筒状体と、筒状体内に摺動自在に挿入され座薬を筒状体の先端から押し出すプランジャとからなる座薬挿入具を提案しており、この座薬挿入具は、筒状体を体内に挿入した状態においてプランジャを押し込むことにより座薬を体内に注入するものである。
【先行技術文献】
【特許文献】
【０００４】
【特許文献１】特開平５−２６１１５８号公報
【発明の概要】
【発明が解決しようとする課題】
【０００５】
しかしながら、上述したような従来の挿入具は、衛生状態を保つために使い捨てを前提としており、一回の座薬の挿入ごとに新たな挿入具が必要となるため使用者への金銭的負担が大きく、廃棄物が増えるという問題も生じる。
【０００６】
それゆえ、この発明は、衛生的かつ容易に座薬を挿入することができるとともに、何度も使いまわすことが可能な座薬挿入器具を提供することを目的とする。
【課題を解決するための手段】
【０００７】
この発明は、上記課題を解決するためになされたものであり、この発明の座薬挿入器具は、前端および後端に開口を有する筒状体と、前記筒状体内に押し込み可能に配置されたプランジャと、内部に座薬を収容し、後端が前記筒状体に着脱自在に保持され、前端にプランジャによって押された座薬を外部に排出する排出開口を有するカートリッジと、を備え、前記カードリッジは、前記筒状体に装着、保持される装着基部と、該装着基部から前方に延びて座薬を覆う被覆部とからなり、前記装着基部は、前記筒状体の外壁の略全体を覆う延長壁を有することを特徴とするものである。
【０００９】
また、この発明の座薬挿入器具にあっては、前記被覆部は、前記排出開口から後方に向けて延びるスリットを有することが好ましい。
【発明の効果】
【００１１】
この発明の座薬挿入器具によれば、座薬が納められたカートリッジの後端を筒状体に装着した後、カートリッジを肛門等に挿入し、プランジャを押し込むことでカートリッジの排出開口を通じて座薬を容易に体内に注入することができ、しかも肛門等に指が触れないから衛生的である。また、注入が終了した後には、カートリッジを筒状体から取り外し、カートリッジのみを廃棄すればよいので廃棄物を減らすことができるとともに、筒状体およびプランジャは何度も使いまわして使用することができる。
【図面の簡単な説明】
【００１２】
【図１】この発明に従う一実施形態の座薬挿入器具の断面図である。
【図２】図１の座薬挿入器具におけるカートリッジを示す斜視図である。
【図３】図１の座薬挿入器具において、カートリッジを筒状体に装着した状態を示す断面図である。
【図４】図３の状態からプランジャを押し込んで座薬を注出する様子を説明する断面図である。
【図５】この発明に従う他の実施形態の座薬挿入器具を示し、（ａ）はそのカートリッジの断面図であり、（ｂ）は座薬挿入器具全体の断面図である。
【発明を実施するための形態】
【００１３】
以下、この発明に従う実施の形態の座薬挿入器具を図面に基づき詳細に説明する。なお、この明細書において、「前方」、「後方」とは、座薬の挿入方向でみて前方、後方を指すものとする。また、座薬の「挿入方向」は、座薬挿入器具の軸方向に沿う、後述のプランジャの押し込み方向を指す。
【００１４】
図１に示すように、座薬挿入器具１は、前端および後端に開口（すなわち、軸方向Ｓに貫通する開口）ｈ１を有する筒状体３と、筒状体３内に押し込み可能（摺動可能）に配置されたプランジャ５と、内部に座薬Ｍを収容し、後端が筒状体３に着脱自在に保持され、前端にプランジャ５によって押し出された座薬Ｍを外部に排出する排出開口ｈ２を有するカートリッジ７と、を備えている。座薬挿入器具１は、合成樹脂により製造することができ、特に、カートリッジ７はポリプロピレン製またはポリエチレン製とすることができる。座薬Ｍは、使用直前に包装容器（図示省略）から取り出して、カートリッジ７の後端の開口を通じてカートリッジ７内にセットすることができる。あるいは、カートリッジ７に一回の使用量分の座薬Ｍを納めた状態にて包装容器（図示省略）内に密閉して流通、保存することが可能である。
【００１５】
筒状体３は、この例では、前端部の外壁に、後述するカートリッジ７の嵌合溝９内に嵌合される嵌合突起３ａが複数個（ここでは４つ）設けられている。嵌合突起３ａは等間隔に配置されている。また、筒状体３の後端部の外壁には、プランジャ５の押し込み時に指を掛けるためのフランジ３ｂが設けられている。筒状体３の内壁には、プランジャ５を抜け止め保持する段差３ｃが全周にわたって形成されている。
【００１６】
プランジャ５は、断面十字状をなし前端を座薬Ｍへの当接面とするロッド部５ａと、ロッド部５ａの後端に設けられ、使用者が指で押すことができる押圧部５ｂとからなる。ロッド部５ａには、筒状体３の内壁に形成された上記段差３ｃに係合してプランジャ５の筒状体３からの引き抜きを防止するアンダーカット５ｃが設けられている。アンダーカット５ｃはこの例では、ロッド部５ａの対向する２箇所に設けているが、アンダーカット５ｃは少なくとも１つあればよく、３つ以上設けてもよい。
【００１７】
カートリッジ７は、筒状体３に装着、保持される装着基部７ａと、該装着基部７ａから前方に延びて座薬Ｍを覆う被覆部７ｂとからなり、被覆部７ｂの前端には上述の排出開口ｈ２が形成されている。装着基部７ａは、ここでは、筒状体３の外壁に装着される。装着基部７ａの内壁には、上述の嵌合突起３ａが嵌入される略Ｌ字状の嵌合溝９が設けられている。各嵌合溝９は、詳細には、軸方向Ｓ（座薬Ｍの挿入方向）に沿って延び嵌合突起３ａを導入する導入溝部９ａと、導入溝部９ａに対して直角に延び嵌合突起３ａを軸方向Ｓに対して係止する係止溝部９ｂとからなる。
【００１８】
被覆部７ｂは、内部に収容される座薬Ｍの形状に概ね対応した形状を有しており、この例では、座薬Ｍが砲弾状であるから被覆部７ｂの形状も先端に向かって先細りとなる砲弾状に形成されている。また、被覆部７ｂには、図２により明瞭に見ることができるように、排出開口ｈ２から後方に向けて延びる４本のスリット１１が等間隔に形成されている。被覆部７ｂは、プランジャ５を押し込んだ際に座薬Ｍの接触によって容易に押し広げられるよう装着基部７ａに比べて薄肉に形成されている。
【００１９】
かかる構成を有する座薬挿入器具１によれば、図３に示すように、座薬Ｍが納められたカートリッジ７の後端を筒状体３に装着した後、カートリッジ７を肛門等に挿入し、図４に示すように、プランジャ５を押し込むことでカートリッジ７の排出開口ｈ２を通じて座薬Ｍを容易に体内に注入することができ、しかも肛門等に指が触れないから衛生的である。また、注入が終了した後には、カートリッジ７を筒状体３から取り外し、カートリッジ７のみを廃棄すればよいので廃棄物を減らすことができるとともに、筒状体３およびプランジャ５は何度も使いまわして使用することができる。
【００２０】
また、上述の実施形態の座薬挿入器具１によれば、カートリッジ７の被覆部７ｂに、排出開口ｈ２から後方に向けて延びるスリット１１を設けたことから、座薬Ｍをプランジャ５で押し出す際に被覆部７ｂの排出開口ｈ２の周辺を容易に拡開することができ、座薬Ｍの注入をよりスムーズに行うことができる。
【００２１】
次いで、この発明に従う他の実施形態の座薬挿入器具について図５（ａ），（ｂ）を参照して説明する。なお、前述の実施形態の座薬挿入器具１と重複する部分についてはその詳細な説明を省略する。
【００２２】
この実施形態では、座薬挿入器具１は、カートリッジ７の装着基部７ａが筒状体３の外壁の略全体を覆う延長壁１３を有している。カートリッジ７の嵌合溝９は、装着基部７ａの後端部に配置され、これに伴って筒状体３の嵌合突起３ａは、筒状体３の後端部（フランジ３ｂの前方直近）に配置されている。
【００２３】
かかる座薬挿入器具１は、カートリッジ７の装着基部７ａに延長壁１３を設けた分、座薬挿入時にカートリッジ７をより深く挿入することができるため、座薬Ｍをより確実に注入することができ、また、筒状体３が延長壁１３で覆われていることから、座薬挿入時に筒状体３が肛門等に触れる虞がなく、より衛生的である。
【００２４】
以上、図示例に基づき説明したが、この発明は上述の例に限定されるものでなく、特許請求の範囲の記載範囲内で適宜変更することができるものであり、例えば、カートリッジに嵌合突起を設けるとともに筒状体に該嵌合突起と嵌合する嵌合溝を設けることにより、カートリッジを筒状体に装着するよう構成してもよい。また、上記の例では、カートリッジの装着基部を筒状体の外壁に装着すると説明したが、カートリッジの装着基部を筒状体内に挿入して保持するようにしてもよい。
【産業上の利用可能性】
【００２５】
かくしてこの発明により、衛生的かつ容易に座薬を挿入することができるとともに、何度も使いまわすことが可能な座薬挿入器具を提供することが可能となった。
【符号の説明】
【００２６】
１  座薬挿入器具
３  筒状体
５  プランジャ
７  カートリッジ
７ａ  装着基部
７ｂ  被覆部
１１  スリット
ｈ２  排出開口
Ｍ  座薬
【図１】
0005868674.tif 000002
【図２】
0005868674.tif 000003
【図３】
0005868674.tif 000004
【図４】
0005868674.tif 000005
【図５】
0005868674.tif 000006